(57)【特許請求の範囲】
【請求項１】
表面が平らな光ディスクであって、
前記平らな表面にデータトラックを形成する複数の多重ファセット不規則性、及び
前記各多重ファセット不規則性内の複数のファセットであって、前記ファセットに前記光ディスク面に対して角度をつけることによって、前記複数のファセットの各々がデータビットを用いて符号化される、複数のファセット
からなり、
前記多重ファセットピットの各々が少なくとも２つのファセットを含むことを特徴とする光ディスク。
【請求項２】
前記複数の多重ファセット不規則性の各々がピットからなることを特徴とする請求項１に記載の光ディスク。
【請求項３】
前記複数の多重ファセット不規則性の各々がバンプからなることを特徴とする請求項１に記載の光ディスク。
【請求項４】
前記複数の多重ファセット不規則性が前記データトラックに沿って規則的に区切られていることを特徴とする請求項１に記載の光ディスク。
【請求項５】
表面が平らな光ディスクであって、
前記平らな表面にデータトラックを形成する複数の多重ファセット不規則性、及び
前記各多重ファセット不規則性内の複数のファセットであって、前記ファセットに前記光ディスク面に対して角度をつけることによって、前記複数のファセットの各々がデータビットを用いて符号化される、複数のファセット
からなり、
前記複数のファセットの各々が個別レーザビームを反射することを特徴とする光ディスク。
【請求項６】
前記レーザビームの各々が異なる角度から前記不規則性に照射されることを特徴とする請求項５に記載の光ディスク。
【請求項７】
表面が平らな光ディスクであって、
前記平らな表面にデータトラックを形成する複数の多重ファセット不規則性、及び
前記各多重ファセット不規則性内の複数のファセットであって、前記ファセットに前記光ディスク面に対して角度をつけることによって、前記複数のファセットの各々がデータビットを用いて符号化される、複数のファセット
からなり、
前記多重ファセットピットの各々が少なくとも４つのファセットを含むことを特徴とする光ディスク。
【請求項８】
光ディスク読取りシステムであって、
前記光ディスクに形成されるデータトラックの複数の多重ファセットピットのそれぞれ第１のファセットにレーザビームを照射する第１のレーザと、
前記データトラックの前記複数の多重ファセットピットのそれぞれ第２のファセットにレーザビームを照射する第２のレーザと
を備えることを特徴とする光ディスク読取りシステム。
【請求項９】
前記第１および第２のレーザが、同時に前記複数の多重ファセットピットの各々に、前記それぞれのレーザビームを照射することを特徴とする請求項８に記載の光ディスク読取りシステム。
【請求項１０】
前記第１および第２のレーザが、前記複数の多重ファセットピットの各々に、前記それぞれのレーザビームを逐次照射することを特徴とする請求項８に記載の光ディスク読取りシステム。
【請求項１１】
前記第１のレーザの前記第１のファセットからの距離と、前記第２のレーザの前記第２のファセットからの距離が等しいことを特徴とする請求項８に記載の光ディスク読取りシステム。
【請求項１２】
光ディスク読取りシステムにおいて、
少なくとも２ヶ所の読取り位置を有するレーザ、
前記光ディスクに形成されるデータトラックの複数の多重ファセットピットのそれぞれ第１のファセットにレーザビームを照射するように適合された前記レーザの第１の読取り位置であって、前記レーザビームが第１の角度から前記第１のファセットを照射する、第１の読取り位置、及び
前記データトラックの複数の多重ファセットピットのそれぞれ第２のファセットにレーザビームを照射するように適合された前記レーザの第２の読取り位置であって、前記レーザビームが前記第１の角度とは異なる第２の角度から前記第２のファセットを照射する、第２の読取り位置
からなる光ディスク読取りシステム。
【請求項１３】
前記第１の読取り位置にある前記レーザが、前記複数の多重ファセットピットから第１のデータストリームを読み取り、
前記第２の位置にある前記レーザが、前記複数の多重ファセットピットから第２のデータストリームを読み取る
ことを特徴とする請求項１２に記載の光ディスク読取りシステム。
【請求項１４】
光ディスクであって、
データトラックを形成する複数の多重ファセットバンプ、及び
各多重ファセットバンプ上の複数のファセットであって、前記ファセットに前記光ディスク面に対して角度をつけることによって前記複数のファセットの各々がデータビットを用いて符号化される、複数のファセット
からなり、
前記複数のファセットの各々が個別レーザビームを反射することを特徴とする光ディスク。
【請求項１５】
光ディスクであって、
データトラックを形成する複数の多重ファセットバンプ、及び
各多重ファセットバンプ上の複数のファセットであって、前記ファセットに前記光ディスク面に対して角度をつけることによって前記複数のファセットの各々がデータビットを用いて符号化される、複数のファセット
からなり、
前記レーザビームの各々が異なる角度から前記バンプに照射されることを特徴とする光ディスク。
【請求項１６】
前記光ディスクがコンパクトディスク（ＣＤ）であることを特徴とする請求項１４に記載の光ディスク。
【請求項１７】
前記光ディスクがディジタルビデオディスク（ＤＶＤ）であることを特徴とする請求項１４に記載の光ディスク。
【請求項１８】
光ディスクから個別データストリームを読み取る方法において、
前記光ディスクのトラック内の複数のピットのそれぞれ第１のファセットの状態を読み取るための、レーザビーム位置決めステップと、
前記複数のピットのそれぞれ第２のファセットの状態を読み取るための、前記レーザビーム再位置決めステップと
を含むことを特徴とする個別データストリーム読取り方法。
【請求項１９】
前記第１のファセットの状態が、前記レーザビームによって、前記第１のファセットの角度に関連して読み取られることを特徴とする請求項１８に記載の個別データストリーム読取り方法。
【請求項２０】
光ディスクから個別データストリームを読み取る方法において、
前記複数のピットから第１のデータビットストリームを読み取るために、前記光ディスクのトラック内の複数のピットのそれぞれ第１のファセットから第１のレーザビームを反射させるステップと、
前記複数のピットから第２のデータストリームを読み取るために、前記複数のピットのそれぞれ第２のファセットから第２のレーザビームを反射させるステップと
を含むことを特徴とする個別データストリーム読取り方法。
【請求項２１】
光ディスクから個別データストリームを読み取る装置であって、
前記光ディスクのトラック内の複数のピットのそれぞれ第１のファセットの状態を読み取るための、レーザビーム位置決め手段と、
前記複数のピットのそれぞれ第２のファセットの状態を読み取るための、前記レーザビーム再位置決め手段と
を備えることを特徴とする個別データストリーム読取り装置。
【請求項２２】
前記第１のファセットの状態が、前記レーザビームによって、前記第１のファセットの角度に関連して読み取られることを特徴とする請求項２１に記載の個別データストリーム読取り装置。
【請求項２３】
光ディスクから個別データストリームを読み取る装置であって、
前記複数のピットから第１のデータビットストリーム読み取るために、前記光ディスクのトラック内の複数のピットのそれぞれ第１のファセットから第１のレーザビームを反射させる手段と、
前記複数のピットから第２のデータストリーム読み取るために、前記複数のピットのそれぞれ第２のファセットから第２のレーザビームを反射させる手段と
を備えることを特徴とする個別データストリーム読取り装置。
【請求項２４】
光ディスクから個別データストリームを読み取る方法であって、
前記光ディスクのトラックにおける複数のピットの各々の第１のファセットの状態を読み取るために第１のレーザビームを供給するステップであって、前記複数のピットの各々の第１のファセットが前記光ディスクの第１のデータストリームを含む、ステップ、及び
前記複数のピットの各々の第２のファセットの状態を読み取るために第２のレーザビームを供給するステップであって、前記複数のピットの各々の第２のファセットが前記光ディスクの第２のデータストリームを含む、ステップ
からなる方法。
【請求項２５】
請求項１４記載の光ディスクにおいて、前記複数のバンプの各々が少なくとも２つのデータビットの情報を含む光ディスク。
【発明の詳細な説明】
【０００１】
【発明の属する技術分野】
本発明は、一般的には光ディスクに関し、特に、コンパクトディスク（ＣＤ）あるいはディジタルビデオディスク（ＤＶＤ）などの光ディスクにおける高密度データ記憶を実現する技法に関する。
【０００２】
【従来の技術】
従来の光ディスクプレーヤ（例えばＣＤ  ＲＯＭプレーヤ、音楽ＣＤプレーヤ、ＤＶＤプレーヤなど）は、上記光ディスクの片面上のトラックに沿って形成されたピットおよび／またはバンプ内にデータビットを含んでいる。これらの従来システムでは、ある種の技術によるピットの有無、および／または、他の技術を用いたバンプの存在によって、レーザビームの進行距離が変化する。
【０００３】
図７は、トラック経路に沿った一連のピット７０２、７０４、７０６および７０８を含む従来の光ディスク７４０の断面を示す。
【０００４】
特に図７においては、複数のピット７０２ないし７０８が、レーザビームの焦点に1個づつ存在している。レーザ７００は、例えば７８０ｎｍのレーザビームを出力し、レーザビームの反射点までの距離を検出している。図７のピット７０２、７０４および７０８に示すように、仮にピット７０２ないし７０８が深いピットであるとすると、そのデータポイントは特定論理レベル（例えば論理‘０’）として決定され、逆に、データポイントにピットが存在しない場合、あるいは、図のピット７０６のようにピットの深度が他のピットの深度と異なる場合は、そのデータポイントは、反対の論理レベル（例えば論理‘１’）として決定される。
【０００５】
図８は、従来の光ディスクのビット密度を示しており、そのビットの各々は単一ビットである。
【０００６】
現在、光ディスクの高密度化への試みは非常に進歩しており、例えば、最新技法では、調節可能なピット深度、あるいはバンプ高さを用いて、ディジタル符号化信号の複数のビットを表している。
【０００７】
一例として、Ｏｇａｗａへの米国特許第５，７２４，３３９号は、レーザに対して直角の方向から見た断面形状を有し、少なくとも2種類の異なる形状から選択されるピットの使用が開示されている。上記異なる断面形状は、反射光の量に基づいて決定されている。同様に、Ｎｏｍｏｔｏへの米国特許第５，３５９，５９１号にも、異なる断面形状を有するピットの使用が開示されており、その異なる断面形状の使用は、Ｓａｔｏｈらへの米国特許第５，５７２，５０８号にも開示されている。米国特許第５，５５９，７８７号は、ピット深度による反射光の偏光を利用して、各ピットにおけるデータビット密度を高密度化したものである。Ｊａｂｒへの米国特許第５，４７１，４５５号は、可変深度表面階段を有する連続ピットを備えたトラックを提供し、また、Ｉｎａｇａｋｉらへの米国特許第５，５７７，０１６号には、測定したピット深度に応じてレーザ波長を変更する方式が開示されている。
【０００８】
現状では、レーザビームに関して、異なる断面ピット形状を使用するためには、および／または、可変深度ピットを使用するためには複雑なレーザシステムを必要とし、特定データポイントからの反射を検出するだけでなく、反射品質のわずかな相違の区別が可能なシステムでなければならない。
【０００９】
Ｍｅｃｃａへの米国特許第５，９９５，４８１号など他の特許は、ピットおよび／またはバンプの深度を、レーザ光の波長の１／２になるように制御している。ピット反射特性の全体的な改良が、Ｙａｎａｇｉｍａｃｈｉらへの米国特許第５，６９６，７５８号に開示されており、また、Ｎｏｍｏｔｏへの米国特許第５，３５７，４９９号に、単一ビットのピット底部の角度をレーザに向けた方式が開示されている。
【００１０】
これらの特許は、ビットとしての各ピット読取りの信頼性を向上させる改良を開示しているが、光ディスクのデータ密度については、著しい高密度化を付与していない。
【００１１】
【発明が解決しようとする課題】
したがって本発明の目的は、レーザビーム反射の多重レベル測定のための複雑な反射レベル感度を必要とすることなく、光ディスクを高密度化する技法およびその装置を提供することである。
【００１２】
【課題を解決するための手段】
本発明の原理によれば、光ディスクは、データトラックを形成している複数の多重ファセットピットを備えている。該多重ファセットピットの各々は、複数のファセットを含んでおり、上記光ディスク面に対して角度を持たせることによって、それぞれデータビットを用いて符号化される。
【００１３】
本発明の他の態様によれば、光ディスク読取りシステムは、上記光ディスク内に形成されたデータトラックの複数の多重ファセットピットのそれぞれ第１のファセットにレーザビームを照射する第１のレーザを備えている。第２のレーザが、上記データトラックの複数の多重ファセットピットのそれぞれ第２のファセットにレーザビームを照射している。
【００１４】
本発明のさらに他の態様によれば、光ディスク読取りシステムは、少なくとも２ヶ所の読取り位置を有するレーザを備えている。レーザの第１の読取り位置が、上記光ディスク内に形成されたデータトラックの複数の多重ファセットピットのそれぞれ第１のファセットにレーザビームを照射し、第２の読取り位置が、それぞれ第２のファセットにレーザビームを照射している。
【００１５】
本発明のさらに他の態様によれば、光ディスクは、データトラックを形成する複数の多重ファセットバンプを備えている。該複数の多重ファセットバンプの各々は、複数のファセットを含んでいる。該複数のファセットの各々は、ファセットに、上記光ディスク面に対して角度をつけることによって、データビットを用いて符号化される。
【００１６】
本発明のさらに他の態様によれば、光ディスクからの個別データストリーム読取り方法は、レーザビームを位置決めし、上記光ディスクのトラック内の複数のピットのそれぞれ第１のファセットの状態を読み取ることからなっている。上記レーザビームは再度位置決めされ、上記複数のピットのそれぞれ第２のファセットの状態が読み取られる。
【００１７】
他の態様による光ディスクからの個別データストリーム読取り方法では、第１のレーザビームを、上記光ディスクのトラック内の複数のピットのそれぞれ第１のファセットから反射させ、上記複数のピットから第１のデータストリームを読み取っている。第２のレーザビームは、上記複数のピットのそれぞれ第２のファセットで反射され、上記複数のピットからの第２のデータストリームが読み取られる。
【００１８】
本発明は、それぞれ複数のファセットを含む多重ファセットピット（および／またはバンプ）によって形成されるトラックを有する光ディスクを提供する。
【００１９】
各ピット（またはバンプ）は多重ファセット、すなわち、少なくとも２面の平らな反射面を有している。該ピット（またはバンプ）の各反射面は、その形状に応じて、高ビットレベルまたは低ビットレベルのいずれかを表す。
【００２０】
各ピットおよび／またはバンプのファセットの各々は、光ディスクのそれぞれの面を個別（個別再生用として２面を持った古い技法によるビニルレコードのように）に、あるいは同時または逐次のいずれかの方法によってリードバックし、各ピットまたはバンプから２ビットデータを提供することを意図している。
【００２１】
複数のレーザビームが上記ピット（またはバンプ）のそれぞれの面、すなわち、上記光ディスク上のピット（またはバンプ）の対応する面に照射され、それぞれの面のビット状態が決定される。ピットまたはバンプの個別ファセットを、正しく配置された対応する複数のレーザビームを用いてリードバックし、各ピットまたはバンプの同一ファセット位置からのレーザビームの反射または非反射をそれぞれ測定することができる。
【００２２】
別法としては、１本のレーザビームを、異なる位置の間で移動させることができる。レーザビームが配置される第１の位置（例えば、トラックの回転に関して角度０°の方向）では、レーザの焦点を通って回転する際に、各ピットまたはバンプの第１のファセット位置からの反射が測定され、その反対位置に配置される第２の位置（例えば、トラックの回転に回転に関して角度１８０°の方向）では、各ピットまたはバンプの相対する第２のファセット位置からの反射が測定される。
【００２３】
したがって、レーザを上記第１の原点に位置決めすることによって、光ディスクの第１の「面」を再生することができ、次に、レーザを上記第２の原点に再位置決めすることによって、光ディスクを取り外すことなく第２の「面」を再生することができる。
【００２４】
本発明の原理による技法および装置を拡張して単一光ディスクを提供し、かつ、
３面または４面あるいは５面のピラミッド形状ピットおよび／またはバンプを用いることにより、３「面」以上の光ディスクの単一トラックを提供することも可能である。
【００２５】
図１Ａは、本発明の原理による複数の多重ファセットピットを含む光ディスクのトラック部分の断面を示し、図１Ｂは、図１Ａの光ディスクの底面（光ディスクの底面に向かってピットが開いていると仮定している）を示したものである。
【００２６】
特に、図１Ａおよび１Ｂでは、光ディスク１４０は、複数の多重ファセットピット１９１ないし１９７からなるトラックを含んでおり、例えば、第１のピット１９１は、２つの相対する角度４５°のファセット１０２および１０４を有する三角形状のピットで形成されている。このピット１９１は、例えば‘００’を表す２ビットのデータ情報を含んでいる。
【００２７】
第２のピット１９２も同様の角度で相対する２つのファセット１０６および１０８からなり、例えば‘００’を表す２ビットのデータ情報を含んでいる。
【００２８】
第３のピット１９３は、角度４５°の第１のファセット１１０と、相対する角度４５°のファセットに代わって角度９０°のファセットを含んでいる（すなわち、角度４５°のファセットが欠落している）。したがって、この第３のピットは、例えば‘０１’を表している。
【００２９】
第４のピット１９４は、角度４５°の第１のファセットが欠落し、相対する角度４５°のファセット１１６を含み、例えば‘１０’を表している。
【００３０】
第５のピット１９５は、いずれも角度４５°で相対するファセット１１８および１２０を含んでおり、例えば‘００’を表している。
【００３１】
第６のピット１９６は、角度４５°の第２のファセットのみを含んでおり、したがって例えば‘０１’を表している。
【００３２】
第７のピット１９７は、４５°で相対するファセットの両方が欠落しており、したがって例えば‘１１’を表している。
【００３３】
図２ＡないしＤは、本発明の原理による、各多重ファセットピットの個別ファセットを個別に読み取るための２本の個別レーザビームの位置決めを示したものである。
【００３４】
特に、図２Ａは、相対する角度４５°のファセット１０２および１０４を含む多重ファセットピットの２つのファセット１０２および１０４の個別リードバックを示している。該２つのファセット１０２および１０４は、図２Ａに示す２つの個別レーザ２０１および２０２によって同時に読み取ることができる。別法としては、第１のレーザビーム２１０の位置と第２のレーザビーム２２０の位置との間で、単一レーザビームの位置を再位置決めし、トラックの複数の多重ファセットピットの第１のファセット１０２に構成されたデータビットストリーム（各ピットから１ビット）を個別に読み取ることができる。次に、後刻、上記トラックの複数の多重ファセットピットの第２のファセット１０４に構成されたデータビットストリーム（各ピットから１ビット）読み取ることによって、光ディスクの第２の「面」を読み取ることができる。
【００３５】
図２Ｂは、角度４５°の第１のファセット１１０のみを含み、角度９０°のリップ１１２の存在で示すように、角度の付いた第２のファセットが欠落した多重ファセットピットの２つのファセット１１０および１１２の個別リードバックを示したものである。
【００３６】
図２Ｃは、角度４５°の第２のファセット１１６のみを含み、角度９０°のリップ１１４の存在で示すように、角度の付いた第１のファセットが欠落した多重ファセットピットの２つのファセット１１６および１１４の個別リードバックを示したものである。
【００３７】
図２Ｄは、相対する角度４５°のファセットをいずれも含まない（ピットが存在しない）多重ファセットピットの２つのファセット１２６および１２８の個別リードバックを示したものである。
【００３８】
レーザビーム２１０と２２０間の関係を約９０°で相対させ、それにより反射レーザビームの受光干渉を避けることが望ましい。そのための一技法として、波長が異なるレーザが使用されている。他の技法では、レーザを横方向に回転させることによって、直接反射ビームの相対するレーザシステム検出器への照射を防止している。当然、一回に１ファセットセット（第１または第２ファセット）の個別リードバック用として単一レーザビームを使用し、位置を再調整する場合は、個別レーザシステム間の干渉を設計的に考慮する必要はない。
【００３９】
個々のビットは、一回に２個のビットが２面三角形状のピットまたはバンプ中に符号化される。したがって、単一ピット内または単一バンプ上に２ビットが表されることになる。他の実施形態では、４面ピラミッド形状のピットまたはバンプを用いて、各ピラミッド形状ピットまたはバンプ内に４ビットのディジタルデータを符号化している。これらの技法および装置は、３面ピラミッド形状あるいは５面ピラミッド形状等のピットまたはバンプを用いて実施することができ、それぞれのピットまたはバンプ内に複数のビットを表すことを可能にしている。各ピットまたはバンプ内の上記複数のビットは、対応する数のレーザビームを用いてリードバックされる。
【００４０】
したがって、従来の光ディスクに使用されている同一密度のピットまたはバンプの場合、２面三角形状ピットおよび２本のレーザビームを使用することにより、同じ光ディスクに２倍の情報量を持たせることができ、さらに、４面ピラミッド形状ピットまたはバンプを使用することにより、４倍の情報量を実現することも可能である。
【００４１】
本発明の原理によれば、個別レーザビームを用いて、同時にあるいは高速シーケンスで各ピットまたはバンプの複数の面を読み取ることができ、レーザおよび対応する光学システムの配置を極めて柔軟なものにしている。複数のレーザビームからのレーザビームは、光ディスク面に対して非直交配列することが好ましい。
【００４２】
他の実施形態では、光ディスクの回転に関してレーザビームの方向を変化させることにより、光ディスクに複数の「面」を持たせることができる。
【００４３】
例えば、各ピットまたはバンプの第１の面を読み取ることができるように、トラックの回転に対して角度０°の方向にレーザビームを配置することができ、この位置でレーザビームを用いることにより、各ピットまたはバンプの片面のみを読み取ることができる。
【００４４】
各ピットまたはバンプの片面を読み取った後、光ディスクの第２の面を読み取るためにレーザビームを反対側、例えばトラックの回転に対して角度１８０°の方向に移動し、各ピットまたはバンプの第２の面を読み取ることができる。
【００４５】
図３は、光ディスク上のレーザビームの同一接触面積に対して、多重ファセットピットおよび／またはバンプを用いることにより、データ密度を著しく向上させることができることを示したものである。例えば、ある種の従来技術の技法と比較した場合、１４１％も改善することができる
【００４６】
特に、図３に示すように、ピットの反射部分に４５°の角度が施されているため、次のように表すことができる。
α＝４χ
【数１】
0004227305.tif 000002
【００４７】
したがって、単一レーザによる実施形態（多重ファセットピットの１つのファセットおよび単一レーザビームのみ使用）は、次式に示すように、データ密度を１４１％だけ向上させている。
【数２】
0004227305.tif 000003
【００４８】
２レーザシステム、または、再位置決め可能単一レーザシステムの実施による本発明の利点を全て利用することにより、次式に示すように、従来の同一サイズの光ディスクに対して、データ密度を２８２％向上させることができる。
【数３】
0004227305.tif 000004
【００４９】
図４は、複数の多重ファセットピット４７０、４７２、４７４および４７６からなるトラックを示し、該多重ファセットピットはそれぞれ、本発明の原理による４面ピラミッド形状を有している。図４には４面ピラミッド形状が示されているが、本発明の原理は同様に、３面または５面等のピラミッド形状など他の形状の多辺形ピットまたはバンプにも関係している。
【００５０】
ピット内に存在する、あるいは形成される個々のファセットは、データビットの特定の論理レベルを表し、ピット内におけるファセットの欠落は、上記データビットの反対の論理レベルを表している。４面ピラミッド形状のピットを用いることにより、各ピットに４ビット（すなわちハーフバイト）のデータを持たせることができる。
【００５１】
図４に示すように、第１のピット４７０は、４つのファセット４０２、４０４、４０６および４０８の全てを含み、光ディスクの４つの個別「面」の対応ビット（例えば論理‘０’）を表している。あるいは、その４つのファセットは、直列データストリーム中の４ビットまたは記号、例えば‘００００’を表すことができる。
【００５２】
同様に、図４の第２のピット４７２は、３つのファセット４１６、４１８および４１２を含んでいるが、第１のファセット４１４が欠落している。したがって、この第２のピット４７２は、記号‘１０００’を表すことができる。同様に、第３のピット４７４は記号‘０００１’を表し、第４のピット４７６は記号‘０１００’を表すことができる。
【００５３】
図５は、本発明の原理による、４面ピラミッドピットの４つの対応する４つのファセット４０４、４０８、４０２および４０６の各々からの反射、あるいは非反射を読み取る４本のレーザビーム５５１ないし５５４を有する４つの個別レーザ５０１ないし５０４を同時に位置決めする実施形態の一例を示したものである。
【００５４】
図５は、上記４つのレーザ５０１ないし５０４の同時位置決めを示しているが、本発明の原理は、相対するレーザの動作を可能にする後退位置を有する上記５０１ないし５０４の任意のまたは全てのレーザが、図の位置において位置決め可能であることにも等しく関係している。別法としては、図５を用いて、光ディスクのトラックの移動方向（図の矢印で示す）に対する様々なレーザの大よその方向を表すことができる。
【００５５】
バンプ技法を用いる場合は、４本のレーザビームを経路が交差しないように配列することができる。さらに、相対するレーザビームが互いに直角に交差するように、光ディスク面に対して４５°の角度をファセットに持たせることが好ましい。さらに、あるいは別法として、相対するレーザ間（例えば、レーザ＃１および＃２間）の干渉を最小にするために、波長が異なるレーザを用いることができる。
【００５６】
本発明の原理によれば、多重ファセットピットの複数のファセットの各々に対して、レーザとそれに対応するファセット間の距離を同一にすることができる。
【００５７】
光ディスクに、３面、４面あるいは５面等のピラミッドピット構造またはバンプ構造を用いる場合、読み取るピットまたはバンプのそれぞれの面に関してレーザビームを再位置決めすることによって、それぞれ第３、第４および／または第５の面を読み取ることができる。
【００５８】
各ピットまたはバンプの形状は、トラックの回転との関係を考慮することが好ましい。例えば、レーザビームが、トラックの回転に関して角度０°または１８０°の方向にある場合、トラックはレーザビーム源に向かって直接進入し、あるいは、レーザビーム源から直接後退させることができ、ピットまたはバンプの対応する面として、平らな反射面を使用することができる。しかしレーザビームが、読み取りのために角度９０°または２７０°の方向、例えば、各ピットまたはバンプの第３および第４の面、すなわち光ディスクの第３および第４の面にある場合は、回転速度に応じて各面を長くしなければならない。
【００５９】
図６は、本発明の原理による、光ディスク表面に形成されたトラックの多重ファセットバンプの各々から多重ビット情報を検出するための２つのレーザの位置決め（または、単一レーザの再位置決め）を示したものである。
【００６０】
特に図６では、第１のレーザ６０１は、光レーザディスク６４０上の各バンプの第１のファセット位置を測定する位置に置かれ、第２のレーザ６０２は、上記各バンプの第２のファセット位置を測定する位置に置かれている。
【００６１】
図６に示すように、個々のファセット位置における角度４５°のファセットは、特定のビットレベル、例えば論理‘１’を表し、上記ファセット位置における角度４５°のファセットの欠落は、反対のビットレベル、例えば論理‘０’を表している。
【図面の簡単な説明】
【図１】Ａ  本発明の原理による、複数の多重ファセットピットを含む光ディスクのトラック部分の断面図である。
Ｂ  図１Ａの光ディスクの底面図（光ディスクの底面に向かってピットが開いていると仮定している）である。
【図２】Ａ  本発明の原理による、各ピットの個別ファセットを個別に読み取るための２本の個別レーザビームの位置決めを示し、相対する角度４５°の２つのファセットを含む多重ファセットピットの２つのファセットの個別リードバックを示す図である。
Ｂ  本発明の原理による、各ピットの個別ファセットを個別に読み取るための２本の個別レーザビームの位置決めを示し、角度４５°の第１のファセットのみを含む多重ファセットピットの２つのファセットの個別リードバックを示す図である。
Ｃ  本発明の原理による、各ピットの個別ファセットを個別に読み取るための２本の個別レーザビームの位置決めを示し、角度４５°の第２のファセットのみを含む多重ファセットピットの２つのファセットの個別リードバックを示す図である。
Ｄ  本発明の原理による、各ピットの個別ファセットを個別に読み取るための２本の個別レーザビームの位置決めを示し、相対する角度４５°のファセットをいずれも含まない多重ファセットピットの２つのファセットの個別リードバックを示す図である。
【図３】光ディスク上のレーザビームの同一接触面積に対して、多重ファセットピットおよび／またはバンプを用いることにより、データ密度を著しく向上させることができることを示す図である。例えば、ある種の従来技術の技法と比較した場合、１４１％も改善することができる。
【図４】本発明の原理による、それぞれ４面のピラミッド形状を有する複数の多重ファセットピットを備えたトラックを示す図である。
【図５】本発明の原理による、４面ピラミッドピットの４つの対応する４つのファセットの各々からの反射、あるいは非反射を読み取る４本のレーザビームを有する４つの個別レーザを同時に位置決めする一実施形態例を示す図である。
【図６】本発明の原理による、光ディスク表面に形成されたトラックの多重ファセットバンプの各々から多重ビット情報を検出するための２つのレーザの位置決め（または、単一レーザの再位置決め）を示す図である。
【図７】トラック経路に沿った一連のピットを含む従来の光ディスクの断面図である。
【図８】従来の光ディスクのビット密度を示す図である。各ピットは単一ビットを表している。
【符号の説明】
ＣＤ  コンパクトディスク
ＤＶＤ  ディジタルビデオディスク
１４０  光ディスク
１０２，４０２  ファセット
１９１，４７０  ファセットピット
２０１，５０１，６０１  レーザ
２１０，２２０，５５１  レーザビーム
６４０  光レーザディスク
７０２  ピット
【図１】
0004227305.tif 000005
【図２】
0004227305.tif 000006
【図３】
0004227305.tif 000007
【図４】
0004227305.tif 000008
【図５】
0004227305.tif 000009
【図６】
0004227305.tif 000010
【図７】
0004227305.tif 000011
【図８】
0004227305.tif 000012